(57)【特許請求の範囲】
【請求項１】
遊技盤と、
この遊技盤の遊技領域に設けられており、前記遊技領域を流下する遊技球を受入れる開口部を周面に有する筒状のカバーと、
このカバーの内側に設けられており、外面を前記カバーの内周面に対向させながら回転可能な回転体とを備えており、
前記回転体には、所定の位置に回転したときに前記開口部と連通し、前記開口部に受入れられた遊技球を受入れ可能な状態になるとともに、受入れられた遊技球を保持した状態で回転に伴って運ぶ保持部と、
この保持部と連通することにより、その保持部に保持されている遊技球を運ぶ途中で回転体の外部へ排出する排出口を備えたパチンコ機において、
前記回転体は、
回転中心を挟んで設けられており、それぞれが複数の遊技球を前記開口部から受入れて保持可能な１組の保持部と、
一方の保持部と他方の保持部との間を移動可能であるとともに、前記一方の保持部に突出可能な一端と、前記他方の保持部に突出可能な他端とを有し、前記一端は、前記他端が前記他方の保持部に保持されている遊技球に当接することにより前記一方の保持部に突出し、かつ、前記他方の保持部に保持されている遊技球の個数の増減に応じて前記一方の保持部への突出量を増減することにより前記一方の保持部に保持可能な遊技球の個数を増減させるように構成された受入個数調整部材と、
前記１組の保持部の少なくとも一方に備えられており、時間的に先に保持されている遊技球が前記排出口へ排出されることを阻止する部材と、
を備えたことを特徴とするパチンコ機。
【請求項２】
前記一方および他方の保持部は、それぞれ前記開口部から受け入れた複数の遊技球を回転中心方向に向けて重ねて保持可能な構造であることを特徴とする請求項１に記載のパチンコ機。
【請求項３】
前記受入個数調整部材は、
前記一方の保持部が前記開口部と連通する位置に回転したときには、自重により下降し、前記一方の保持部に突出していた前記一端の突出量が減少し、かつ、前記他方の保持部が前記開口部と連通する位置に回転したときには、自重により下降し、前記他方の保持部に突出していた前記他端の突出量が減少するように構成されていることを特徴とする請求項１または請求項２に記載のパチンコ機。
【請求項４】
前記排出口は、前記１組の保持部の少なくとも一方と連通可能に前記カバーに開口形成されていることを特徴とする請求項１ないし請求項３のいずれか１つに記載のパチンコ機。
【請求項５】
前記排出口は、前記１組の保持部のうち、複数の遊技球を保持している保持部において時間的に後から保持された遊技球のみを排出する箇所に開口形成されていることを特徴とする請求項１ないし請求項４のいずれか１つに記載のパチンコ機。
【請求項６】
前記排出口は、前記１組の保持部のうち、複数の遊技球を保持している保持部において時間的に先に保持された遊技球のみを排出する箇所に開口形成されていることを特徴とする請求項１ないし請求項５のいずれか１つに記載のパチンコ機。
【請求項７】
前記排出口から排出された遊技球を受入れ可能な始動口と、
この始動口に遊技球が受入れられた場合に当りか否かを判定する判定手段と、
を備えたことを特徴とする請求項１ないし請求項６のいずれか１つに記載のパチンコ機。
【請求項８】
前記排出口が複数開口形成されており、
前記始動口が各排出口に対応してそれぞれ備えられていることを特徴とする請求項７に記載のパチンコ機。
【請求項９】
前記判定手段が前記当りと判定する確率が各始動口毎に異なるように設定されていることを特徴とする請求項８に記載のパチンコ機。
【発明の詳細な説明】
【技術分野】
【０００１】
この発明は、遊技領域を流下する遊技球を受入れて回転方向に運ぶ回転体を備えたパチンコ機に関する。
【背景技術】
【０００２】
従来、この種のパチンコ機として、いわゆる権利物と呼ばれるパチンコ機が知られている。図９は、そのパチンコ機に備えられた遊技盤の正面説明図であり、図１０は、図９に示すパチンコ機に備えられた回転振分装置の正面拡大図である。遊技盤５００へ発射された遊技球が始動口５０１に入賞すると、図柄表示装置５０２が横方向に配列された３つの表示領域にて複数の図柄をそれぞれ変動表示する。そして、変動開始から所定時間経過すると各表示領域にて所定の図柄が停止し、各停止した図柄の組合せが特定の態様（例えば３３３など）に揃うと特別入賞口５０３が所定の開閉パターンで開閉する。特別入賞口５０３の内部には、Ｖ入賞口５０４が設けられており、そのＶ入賞口５０４に入賞すると、権利が発生する。
そして、遊技球を右打ちし、遊技球が回転振分装置６００に設けられた遊技球待機部６０４に停留すると、その遊技球は、常時回転している回転体６０１の周面に形成された凹部６０３に受入れられる。続いて、その遊技球は回転体６０１によって運ばれ、回転体６０１の裏面側に設けられた第３種始動口６０２から流出すると、所定の検出スイッチにより検出され、可動翼片６０５，６０５が開放動作し、大入賞口６０６，６０６が開口する。大入賞口の開口から所定時間経過したという条件、大入賞口へ所定個数入賞したという条件のどちらかが満足されると可動翼片６０５，６０５が閉成動作し、大入賞口６０６，６０６が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口５０４に入賞した場合も大当り遊技が終了となる。
【０００３】
【特許文献１】特開２００２−３０１２１７号公報（第７９〜８１段落、図１、図２）
【発明の開示】
【発明が解決しようとする課題】
【０００４】
しかし、前述した従来のパチンコ機は、遊技球を１個保持可能な凹部を周面に１つ有する回転振分装置を永年に亘って使用しているため、遊技に新鮮味がなくなり、遊技者に飽きられてしまっている。
【０００５】
そこでこの発明は、上述の問題を解決するためになされたものであり、従来の遊技に飽きていた遊技者が、遊技に新鮮味を感じながら楽しむことができるパチンコ機を実現することを目的とする。
【課題を解決するための手段】
【０００６】
この発明は、上記目的を達成するため、請求項１に記載の発明では、遊技盤（５）と、この遊技盤（５）の遊技領域に設けられており、前記遊技領域を流下する遊技球を受入れる開口部（１１ａ）を周面に有する筒状のカバー（１１）と、このカバー（１１）の内側に設けられており、外面を前記カバー（１１）の内周面に対向させながら回転可能な回転体とを備えており、前記回転体には、所定の位置に回転したときに前記開口部（１１ａ）と連通し、前記開口部（１１ａ）に受入れられた遊技球を受入れ可能な状態になるとともに、受入れられた遊技球を保持した状態で回転に伴って運ぶ保持部と、この保持部と連通することにより、その保持部に保持されている遊技球を運ぶ途中で回転体の外部へ排出する排出口とが備えられたパチンコ機において、前記回転体（８７）は、回転中心を挟んで設けられており、それぞれが複数の遊技球を前記開口部（１１ａ）から受入れて保持可能な１組の保持部（１４ｆ、１４ｇ）と、一方の保持部（１４ｆ）と他方の保持部（１４ｇ）との間を移動可能であるとともに、前記一方の保持部（１４ｆ）に突出可能な一端（１３ｄ）と、前記他方の保持部（１４ｇ）に突出可能な他端（１３ｅ）とを有し、前記一端（１３ｄ）は、前記他端（１３ｅ）が前記他方の保持部（１４ｇ）に保持されている遊技球に当接することにより前記一方の保持部（１４ｆ）に突出し、かつ、前記他方の保持部（１４ｇ）に保持されている遊技球の個数の増減に応じて前記一方の保持部への突出量を増減することにより前記一方の保持部に保持可能な遊技球の個数を増減させるように構成された受入個数調整部材（１３）と、前記１組の保持部（１４ｆ、１４ｇ）の少なくとも一方に備えられており、時間的に先に保持されている遊技球が前記排出口（１１ｃ，１１ｄ）へ排出されることを阻止する部材（１４ｈ，１４ｉ）と、を備えたという技術的手段を用いる。
【０００７】
請求項２に記載の発明では、請求項１に記載のパチンコ機において、前記一方および他方の保持部（１４ｆ、１４ｇ）は、それぞれ前記開口部（１１ａ）から受け入れた複数の遊技球を回転中心方向に向けて重ねて保持可能な構造であるという技術的手段を用いる。
【０００８】
請求項３に記載の発明では、請求項１または請求項２に記載のパチンコ機において、前記受入個数調整部材（１３）は、前記一方の保持部（１４ｆ）が前記開口部（１１ａ）と連通する位置に回転したときには、自重により下降し、前記一方の保持部（１４ｆ）に突出していた前記一端（１３ｄ）の突出量が減少し、かつ、前記他方の保持部（１４ｇ）が前記開口部（１１ａ）と連通する位置に回転したときには、自重により下降し、前記他方の保持部（１４ｇ）に突出していた前記他端（１３ｅ）の突出量が減少するように構成されているという技術的手段を用いる。
【０００９】
請求項４に記載の発明では、請求項１ないし請求項３のいずれか１つに記載のパチンコ機において、前記排出口（１１ｃ，１１ｄ）は、前記１組の保持部（１４ｆ，１４ｇ）の少なくとも一方と連通可能に前記カバー（１１）に開口形成されているという技術的手段を用いる。
【００１０】
請求項５に記載の発明では、請求項１ないし請求項４のいずれか１つに記載のパチンコ機において、前記排出口（１１ｄ）は、前記１組の保持部（１４ｆ，１４ｇ）のうち、複数の遊技球を保持している保持部において時間的に後から保持された遊技球のみを排出する箇所に開口形成されているという技術的手段を用いる。
【００１１】
請求項６に記載の発明では、請求項１ないし請求項５のいずれか１つに記載のパチンコ機において、前記排出口（１１ｃ）は、前記１組の保持部（１４ｆ，１４ｇ）のうち、複数の遊技球を保持している保持部において時間的に先に保持された遊技球のみを排出する箇所に開口形成されているという技術的手段を用いる。
【００１２】
請求項７に記載の発明では、請求項１ないし請求項６のいずれか１つに記載のパチンコ機において、前記排出口（１１ｃ，１１ｄ）から排出された遊技球を受入れ可能な始動口（８２，８３）と、この始動口（８２，８３）に遊技球が受入れられた場合に当りか否かを判定する判定手段（１１２）と、を備えたという技術的手段を用いる。
【００１３】
請求項８に記載の発明では、請求項７に記載のパチンコ機において、前記排出口（１１ｃ，１１ｄ）が複数開口形成されており、前記始動口（８２，８３）が各排出口（１１ｃ，１１ｄ）に対応してそれぞれ備えられているという技術的手段を用いる。
【００１４】
請求項９に記載の発明では、請求項８に記載のパチンコ機において、前記判定手段（１１２）が前記当りと判定する確率が各始動口（８２，８３）毎に異なるように設定されているという技術的手段を用いる。
なお、上記の括弧内の符号は、後述する実施形態において使用する符号と対応するものである。
【発明の効果】
【００１５】
（請求項１に係る発明の効果）
回転体は、遊技球を受入れて保持可能な１組の保持部を回転中心を挟んで設けているため、回転体が１回転する間に、遊技球が保持部に保持される機会が保持部の数だけ存在するので、保持部が１つしかない回転体を備えた従来のパチンコ機にはない新鮮味を感じながら遊技を楽しむことができる。
また、受入個数調整部材の一端は、他端が他方の保持部に保持されている遊技球に当接することにより、一方の保持部に突出し、かつ、他方の保持部に保持されている遊技球の個数の増減に応じて一方の保持部への突出量を増減することにより、一方の保持部に保持可能な遊技球の個数を増減させることができる。
従って、保持部が１つしかない回転体を備えた従来のパチンコ機では味わうことのできない変化に富んだ遊技を楽しむことができる。
例えば、他方の保持部に保持されている遊技球が１個から２個に増加したときに、一方の保持部に保持可能な遊技球の数が１個から０個に減少させることができる。
さらに、一方の保持部における遊技球の保持数が上限に達していない場合は、他方の保持部は遊技球を保持可能になるため、遊技者は、他方の保持部に遊技球を保持させようと遊技球を発射することにより、パチンコ機の稼働率を高めることができる。
さらに、１組の保持部の少なくとも一方には、時間的に先に保持されている遊技球が排出口へ排出されることを阻止する部材が備えられているため、時間的な先後に関係なく遊技球を排出する構造の回転体を備えたパチンコ機にはない新鮮味を感じながら遊技を楽しむことができる。
【００１６】
（請求項２に係る発明の効果）
一方および他方の保持部は、それぞれ開口部から受け入れた複数の遊技球を回転中心方向に向けて重ねて保持可能な構造であるため、そのような構造をしていない従来の回転体では味わうことのできない新鮮味のある遊技を楽しむことができる。
【００１７】
（請求項３に係る発明の効果）
受入個数調整部材は、一方の保持部が開口部と連通する位置に回転したときには、自重により下降し、一方の保持部に突出していた一端の突出量が減少し、かつ、他方の保持部が開口部と連通する位置に回転したときには、自重により下降し、他方の保持部に突出していた他端の突出量が減少するように構成されているため、受入個数調整部材を移動させるための複雑な機械的構造やアクチュエータなどが不要なので、そのような機械的要素がない分、回転体の故障率を低減させることができる。
【００１８】
（請求項４に係る発明の効果）
排出口は、１組の保持部の少なくとも一方と連通可能にカバーに開口形成されているため、保持部に保持されている遊技球を、カバーを介して遊技領域へ排出することができる。
【００１９】
（請求項５に係る発明の効果）
排出口は、１組の保持部のうち、複数の遊技球を保持している保持部において時間的に後から保持された遊技球のみを排出する箇所に開口形成されているため、意図せず偶然に保持部に保持されたような遊技球でも１個のみでは排出口から排出されないようにすることができる。
また、排出口から排出される遊技球を生み出すためには、所定の保持部に対して複数の遊技球が一度に連続して保持されるように遊技球を工夫して発射する必要があるため、遊技者の遊技球の発射技術を反映させることができるので、遊技に参加している意識が高まり、非常に面白い遊技を楽しむことができる。
【００２０】
（請求項６に係る発明の効果）
排出口は、１組の保持部のうち、複数の遊技球を保持している保持部において時間的に先に保持された遊技球のみを排出する箇所に開口形成されているため、保持部に保持されている遊技球を、保持部に保持された時間に関係なく排出口から排出する構造の回転体では味わうことのできない新鮮味のある遊技を楽しむことができる。
【００２１】
（請求項７に係る発明の効果）
排出口から排出された遊技球を受入れ可能な始動口と、この始動口に遊技球が受入れられた場合に当りか否かを判定する判定手段とを備えている。つまり、保持部に保持された遊技球は、排出口から排出され、始動口に受入れられると、当りか否かが判定されるため、遊技者は、遊技球が保持部に受入れられて保持されるかどうか、非常にハラハラドキドキするスリルに溢れた遊技を楽しむことができる。
【００２２】
（請求項８に係る発明の効果）
排出口が複数開口形成されており、始動口が各排出口に対応してそれぞれ備えられているため、１つの排出口と、それに対応する始動口が１つのみ設けられている構成よりも変化に富んだ遊技を楽しむことができる。
【００２３】
（請求項９に係る発明の効果）
判定手段が当りと判定する確率が各始動口毎に異なるように設定されているため、その確率が各始動口に対して一律に設定されている構成よりも変化に富んだ遊技を楽しむことができる。
また、どの始動口が、当りと判定される確率が高いのか、非常にハラハラドキドキするスリルに溢れた遊技を楽しむことができる。
【発明を実施するための最良の形態】
【００２４】
［全体の主要構成］
この発明の実施形態に係るパチンコ機の主要構成について図１を参照して説明する。図１は、そのパチンコ機の外観を正面から見た概略説明図である。
図１に示すように、パチンコ機１には、外殻を構成する前枠２が設けられており、その前枠２にはガラス枠３が開閉可能に取付けられている。ガラス枠３の内側には遊技盤５が設けられており、前枠２の前面右下方には、遊技盤５へ遊技球を発射する発射装置を操作する発射レバー１９が回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
【００２５】
前枠２の左側面には、プリペイドカードユニット６０が接続されており、プリペイドカードユニット６０には、プリペイドカードを挿入するカード挿入口６１が設けられている。カード挿入口６１の内部には、プリペイドカードに記録された情報（残り度数）を読取るとともに、その情報を貸球要求の数に応じて書換え、残り度数を算出する装置が設けられている。上受け皿６の前面には、遊技球の貸出しを行う場合に押す貸出ボタン５８と、カード挿入口６１に挿入されているプリペイドカードを取出し可能な位置まで返却する（戻す）ために押す返却ボタン５９と、プリペイドカードユニット６０により読取られたプリペイドカードの残り度数などを表示する度数表示部５７とが備えられている。
【００２６】
［遊技盤の主要構成］
次に、遊技盤５の主要構成について図２を参照して説明する。図２は遊技盤５を正面から見た概略説明図である。
遊技盤５の中央上方には、センターケース３０が備えられており、センターケース３０の下方には、電動役物８０が備えられている。電動役物８０の下方には、回転振分装置８６が備えられており、回転振分装置８６の下方には、変動入賞装置９０が備えられている。電動役物８０は、外側に倒れるように開放動作する開閉翼片８０ａ，８０ｂを備える。
電動役物８０の上方には上始動口８１が備えられており、回転振分装置８６の両側には右始動口８２および左始動口８３が備えられている。以下、上始動口８１、右始動口８２および左始動口８３について共通の事項を説明する場合は、単に始動口という。また、遊技盤５の両側には、普通図柄始動口６８および入賞口３３が備えられている。
その他、遊技盤５には、遊技球の流下方向を変化させるための風車４、発射された遊技球を遊技盤５上の遊技領域へ案内する案内レール９、どこにも入賞しなかった遊技球をアウト球として回収するアウト口８などが設けられている。なお、図示しないが、遊技盤５の盤面には、多くの遊技釘が打ち込まれており、発射された遊技球は遊技釘に衝突することによって流下方向が変化する。
【００２７】
センターケース３０には、複数の図柄を変動表示する図柄表示装置３７が備えられている。図柄表示装置３７は、複数の表示領域（この実施形態では横方向に３つの表示領域）を有し、各表示領域において複数の図柄（例えば０〜９の数字を表す１０種類の図柄）を順番に配列した図柄列をそれぞれ数字の昇順に変動表示（スクロール表示ともいう）する。図柄表示装置３７は、遊技球がいずれかの始動口に入賞したことを契機として図柄を変動表示する。変動表示は、図柄が数字の昇順に画面の上端から出現し、下端へ消えて行く縦方向の変動表示でもよいし、画面の右端（または左端）から出現し、左端（または右端）へ消えて行く横方向の変動表示でもよいし、その場で数字が変化する変動表示でもよく、限定されるものではない。
図柄表示装置３７は、図柄の変動表示開始から所定時間経過すると、各表示領域において所定の図柄を確定表示する。ここで、確定表示とは、変動が完全に停止した状態の他、図柄が上下左右などに少し振動しているような態様を含む（以下、普通図柄についても同じ）。例えば、左側の表示領域、右側の表示領域、中央の表示領域の順に所定の図柄を確定表示する。
【００２８】
そして、各表示領域において確定表示された図柄の組合せが大当り図柄（例えば、３３３、５５５など、同じ数字の組合せ）であった場合は、大当りが発生する。この大当りが発生すると、変動入賞装置９０の開閉部材９１が開放され、大入賞口９２が開口する。大入賞口９２は、大入賞口９２に規定数（例えば１０個）の遊技球が入賞したという条件、あるいは、大入賞口９２が開口してから規定時間（例えば３０秒）が経過したという条件が満足されると閉口する。大入賞口９２が開口してから閉口するまでを１ラウンドとし、規定数のラウンドまで進む。大入賞口９２は、入賞口３３よりも開口面積が広く、かつ、その周囲には入賞の障害となる遊技釘があまり存在しないため、遊技球は容易に大入賞口９２に入賞する。このため、遊技者は、大当りの発生により大量の賞球を獲得することができる。以下、第１ラウンド開始から最終ラウンド終了までを大当り遊技という。
図柄表示装置３７が図柄を変動表示しているときに、遊技球がいずれかの始動口に入賞した場合は、その入賞を契機とする図柄の変動表示は保留され、現在実行されている図柄の変動表示が終了した以降に実行される。その保留数は、図柄表示装置３７により、例えば、保留数を示す数字、保留数に対応する数の○などで表示される。保留数には上限が設定されており、この実施形態では８つである。なお、保留数は、ＬＥＤの点灯数により表示してもよいし、図柄表示装置３７とは別個の保留数表示装置を設けてもよい。
【００２９】
図柄表示装置３７により確定表示された大当たり図柄が特定の大当たり図柄（例えば、７７７など、奇数を表す図柄から構成された大当たり図柄）であった場合は、その大当りを確変大当りという。確変大当りが発生すると、今回行われる大当り遊技が終了した以降の遊技が、所定期間、大当りが発生する確率の高い遊技状態に変化する（いわゆる確変）。確変になると、図柄の変動開始から終了までにかかる時間および普通図柄の変動開始から終了までにかかる時間がそれぞれ短縮される。また、電動役物８０の開閉翼片８０ａ，８０ｂの開放時間が延長される。
【００３０】
また、図柄表示装置３７は、遊技球がいずれかの普通図柄始動口６８を通過したことを契機として、所定の表示領域（例えば、画面の片隅）において複数の普通図柄（例えば、記号を表現した複数の普通図柄○△×）を変動表示する。図柄表示装置３７は、普通図柄の変動表示開始から所定時間経過後に所定の普通図柄を確定表示する。確定表示された普通図柄が、当り普通図柄であった場合は、電動役物８０の開閉翼片８０ａ，８０ｂが開放する。
図柄表示装置３７が普通図柄を変動表示しているときに、遊技球がいずれかの普通図柄始動口６８を通過した場合は、その通過を契機とする普通図柄の変動表示は保留され、現在実行されている普通図柄の変動表示が終了した以降に実行される。その保留数は、保留数表示装置３９によって表示される。この実施形態では、保留数表示装置３９は４個のＬＥＤから構成されており、センターケース３０に設けられている。なお、普通図柄の保留数は、図柄表示装置３７の画面に表示してもよい。
【００３１】
（回転振分装置８６の構成）
次に、回転振分装置８６の構成について図３ないし図７を参照して説明する。
図３は、回転振分装置８６の斜視図である。図４は、回転振分装置８６の分解斜視図である。図５は、始動口、電動役物および回転振分装置の説明図である。図５（Ａ）は２個の遊技球が回転体の周面上で停留している状態を示す説明図であり、図５（Ｂ）は２個の遊技球が第１の保持部１４ｆに保持された状態を示す説明図である。
図６（Ａ）は２個の遊技球が第１の保持部１４ｆに保持された状態を示す説明図であり、図６（Ｂ）は後から保持された遊技球Ｐ２が回転体から排出されて右始動口８２に入賞する様子を示す説明図であり、図６（Ｃ）は最初に保持された遊技球Ｐ１がカバー１１の内壁面によって支持されている状態を示す説明図であり、図６（Ｄ）は遊技球Ｐ１が回転体から排出されて左始動口８３に入賞する様子を示す説明図であり、図６（Ｅ）は遊技球Ｐ１が突起部１４ｈによって転動を阻止されている状態を示す一部拡大説明図であり、図６（Ｆ）は突起部１４ｈの拡大説明図である。
図７（Ａ）は１個の遊技球Ｐ１が第１の保持部１４ｆに保持された状態を示す説明図であり、図７（Ｂ）は遊技球Ｐ１の転動が突起部１４ｈによって阻止されている状態を示す説明図であり、図７（Ｃ）は各保持部に遊技球が１個ずつ保持されている状態を示す説明図であり、図７（Ｄ）は第１の保持部１４ｆに保持されていた遊技球Ｐ１が左始動口８３に入賞する様子を示す説明図であり、図７（Ｅ）は第２の保持部１４ｇに保持された遊技球Ｐ２がカバー１１の内壁面によって支持されている状態を示す説明図であり、図７（Ｆ）は第２の保持部１４ｇに保持されていた遊技球Ｐ２が左始動口８３に入賞する様子を示す説明図である。
【００３２】
図３に示すように、回転振分装置８６は、カバー１１と、カバー１１の内部に回転可能に設けられた回転体８７と、回転体８７を回転させるモータ２０とを備える。カバー１１の周面には、上方から流下してきた遊技球を受入れるための開口部１１ａと、回転体８７に保持された遊技球を右始動口８２へ排出するための排出口１１ｄと、左始動口８３へ排出するための排出口１１ｃとが形成されている。この実施形態では、排出口１１ｄは、回転体８７の回転中心から見て右方よりもやや下（時計の４時の位置）に形成されており、排出口１１ｃは、回転中心から見て左方よりもやや下（時計の８時の位置）に形成されている。また、カバー１１は、後面が開口した円筒形状に形成されており、その周面に開口部１１ａおよび排出口１１ｃ，１１ｄが形成されている。カバー１１の後端には、カバー１１を遊技盤５の盤面に形成された嵌合孔（図示せず）に嵌め込んで取付けるための取付部１１ｅが突出形成されている。この実施形態では、取付部１１ｅは計３個形成されている（図４）。また、カバー１１は透明の合成樹脂により形成されており、内部の回転体８７が回転する様子や遊技球が保持されている状態などを外部から見ることができるようになっている。
【００３３】
回転体８７は、前板１２と、受入個数調整部材１３と、外周部材１４ａ，１４ｂと、後板１５とから構成されている。前板１２および後板１５は、外周部材１４ａ，１４ｂを前後から挟み込んで固定する役割をする。また、前板１２および後板１５により固定された外周部材１４ａ，１４ｂは、相対向する内面間に空間を形成し、その空間に受入個数調整部材１３を移動自在に収容する役割をする。
前板１２は、略円板形状に形成されており、その周面には、遊技球を保持するための凹部１２ａ，１２ｂが対称位置に形成されている。凹部１２ａ，１２ｂは、図５に示すように、それぞれ２個の遊技球を回転中心方向に向けて重ねて保持可能な大きさに形成されている。また、凹部１２ａ，１２ｂは、上方を向いているときに、保留されている２個の遊技球のうち、後から保持された遊技球Ｐ２の頭部がカバー１１の内周面に当接しない大きさに形成されている（図５（Ｂ）参照）。この実施形態では、凹部１２ａ，１２ｂは、開口部が上向きの状態において、それぞれ正面から見てＵ字形状に形成されている。
【００３４】
前板１２の中心には、モータ２０の回転シャフト２０ａを挿通するための挿通孔１２ｄが前後方向に貫通形成されている。前板１２の後面には、外周部材１４ａ，１４ｂの前面に形成された孔１４ｅに嵌め込んで取付けるための取付部１２ｃが形成されている。この実施形態では、取付部１２ｃは、孔１４ｅと対応する個所に計４個形成されている（図面の都合上、図中では取付部１２ｃが３個だけ描かれている）。また、前板１２は、カバー１１の内側と接触しないように回転するために、カバー１１の内径よりも小さい直径に形成されている。
後板１５は、前板１２と同じ形状に形成されており、前板１２とは前後が逆向きに配置されている。後板１５には、前板１２の凹部１２ａ，１２ｂと同じ位置に凹部１５ａ，１５ｂが形成されている。また、後板１５の中心には、モータ２０の回転シャフト２０ａを挿通するための挿通孔１５ｄが前後方向に貫通形成されている。また、後板１５の前面には、外周部材１４ａ，１４ｂの後面に形成された孔（孔１４ｅと対応する位置に形成されており、図面では見えない）に嵌め込んで取付けるための取付部１５ｃが形成されている。この実施形態では、取付部１５ｃは、図示しない孔と対応する個所に計４個形成されている。
【００３５】
外周部材１４ａは、円柱を中心軸と平行に切断したような形状に形成されている。また、外周部材１４ａは、曲面を外側に向けて配置されており、内面の中央には平面部１４ｃが形成されている。また、平面部１４ｃの両端部から各先端にかけての部分は、前板１２の凹部１２ａ，１２ｂおよび後板１５の凹部１５ａ，１５ｂの内周側面と一致する形状に形成されている。外周部材１４ｂは、外周部材１４ａと同じ形状に形成されており、外周部材１４ａとは左右が逆向きに配置されている。外周部材１４ａ，１４ｂの前面の各孔１４ｅに前板１２の対応する取付部１２ｃをそれぞれ嵌め込み、後面の図示しない各孔に後板１５の対応する取付部１５ｃをそれぞれ嵌め込むと、外周部材１４ａ，１４ｂの各平面部１４ｃ，１４ｃ間には、受入個数調整部材１３を収容するための空間１４ｄが形成される。
【００３６】
受入個数調整部材１３は、縦断面が長円形状に形成されており、その内部には、モータ２０の回転シャフト２０ａを挿通するための長孔１３ａが前後方向に貫通形成されている。長孔１３ａの短軸に対応する幅は、回転シャフト２０ａの外径よりも広く形成されており、図４に示すように、回転シャフト２０ａは、長孔１３ａの内部を相対的に移動可能になっている。受入個数調整部材１３は、外側の平面部１３ｂを外周部材１４ａ，１４ｂの平面部１４ｃとそれぞれ対向させて収容されている。受入個数調整部材１３の外側の平面部間の幅は、空間１４ｄの間隔よりも少し小さく形成されており、受入個数調整部材１３が空間１４ｄ内を長手方向に滑らかに移動できるようになっている。
外周部材１４ａ，１４ｂと、これらを前後から固定する前板１２および後板１５と、空間１４ｄに収容された受入個数調整部材１３とで回転体８７が構成されており、前板１２の凹部１２ａと、空間１４ｄの上方に形成された空間と、後板１５の凹部１５ａとで形成される空間により第１の保持部１４ｆが形成されている。また、前板１２の凹部１２ｂと、空間１４ｄの下方に形成された空間と、後板１５の凹部１５ｂとで形成される空間により第２の保持部１４ｇが形成されている。各保持部は、それぞれ２個の遊技球を回転体８７の回転中心方向に向けて重ねて保持可能な構造になっている。
【００３７】
モータ２０の回転シャフト２０ａは、後板１５、受入個数調整部材１３および前板１２からなる回転体８７に挿通する長さに形成されている。また、回転シャフト２０ａの一部は、断面が非円形に形成されており、前板１２の挿通孔１２ｄおよび後板１５の挿通孔１５ｄは、それぞれ上記回転シャフト２０ａの一部の外形と合致する形状に形成されている。つまり、回転シャフト２０ａの回転時に回転体８７が空転しないようになっている。また、モータ２０の後部周面には、モータ２０を遊技盤５の裏面側の所定個所に固定するための固定部材２０ｂが設けられており、固定部材２０ｂには、ネジを挿通するネジ挿通孔２０ｃが前後方向に貫通形成されている（実際には図示されている固定部材２０ｂとは反対側に固定部材２０ｂがもう１つ設けられており、同様にその固定部材２０ｂにはネジ挿通孔２０ｃが前後方向に貫通形成されている）。
モータ２０は遊技盤５の裏面側に取付けられており、回転シャフト２０ａが遊技盤５の裏面から表面に挿通され、それに回転体８７が挿通固定され、その回転体８７を覆うようにしてカバー１１が遊技盤５に取付けられている。
【００３８】
（回転振分装置周囲の構成）
図５に示すように、横方向に配置された２本の遊技釘８１ａ，８１ａにより、遊技球が１個ようやく通過できる間隔の上始動口８１が形成されている。この上始動口８１の下方には、上始動口８１に入賞した遊技球を受入れる上入賞部材８１ｂが設けられており、その上入賞部材８１ｂの内部には、上入賞部材８１ｂに受入れられた遊技球を検出する上始動口スイッチ（図８において符号８１ｅで示す）が設けられている。上入賞部材８１ｂの下方には、電動役物８０が配置されており、電動役物８０の内部には、開閉翼片８０ａ，８０ｂから入賞した遊技球を検出する検出スイッチ（図８において符号８０ｃで示す）が設けられている。電動役物８０の下部と、回転振分装置８６の上部との間には、複数の遊技釘８５を縦方向に配列した遊技釘列を対向させることにより、流下経路８８が形成されている。流下経路８８は、遊技球が１個ようやく流下できる幅に形成されている。流下経路８８の内部には、遊技盤５の内部から遊技領域へ進退可能なストッパ８４が配置されている。ストッパ８４は、遊技盤５の裏面側に配置されたストッパソレノイド（図８において符号８４ａで示す）によって駆動される。
【００３９】
図５（Ａ）に示すように、流下経路８８は、遊技領域へ進出したストッパ８４の下面と回転体８７の周面との間に２個の遊技球Ｐ１，Ｐ２が縦方向に並ぶ長さに形成されている。電動役物８０の底部には、開放した開閉翼片８０ａ，８０ｂから入賞した遊技球を流下させるための開口部（図示せず）が形成されている。図５（Ｂ）に示すように、ストッパ８４が遊技領域へ進出すると、電動役物８０の底部から流下した遊技球Ｐ３は、ストッパ８４によって流下を阻止され、ストッパ８４の上面に停留する。また、ストッパ８４が遊技盤５の内部に退避すると、ストッパ８４の上面に停留していた遊技球Ｐ３は、流下経路８８を流下する。
【００４０】
図６に示すように、第１の保持部１４ｆの内壁面には、最初に保持された遊技球の保持部からの流出を阻止するための突起部１４ｈが形成されており、第２の保持部１４ｇの内壁面には、最初に保持された遊技球の保持部からの流出を阻止するための突起部１４ｉが形成されている。突起部１４ｈは、図６（Ａ）に示すように、第１の保持部１４ｆが真上（時計の１２時の位置）になったときの右側の内壁面、つまり回転体８７の回転方向側の内壁面に形成されている。図４では、突起部１４ｈ，１４ｉの図示を省略しているが、実際には、突起部１４ｈは外周部材１４ｂのうち、第１の保持部１４ｆを形成する側の面から突出形成されており、突起部１４ｉは外周部材１４ａのうち、第２の保持部１４ｇを形成する側の面から突出形成されている。
【００４１】
突起部１４ｈは、図６（Ｆ）に示すように、縦断面の形状が三角形に形成されており、その頂点１４ｈｂが遊技球に当接することにより、遊技球の転動を阻止している。また、突起部１４ｈは、図６（Ｂ）に示すように、第１の保持部１４ｆが第１の排出口１１ｄと連通した状態になったときには遊技球Ｐ１が転動して第１の排出口１１ｄから排出されることがなく、かつ、図６（Ｃ）に示すように、第１の保持部１４ｆが第１の排出口１１ｄを通過し、真下（時計の６時の位置）に到達したときには、遊技球Ｐ１が突起部１４ｈによる阻止が解除され、第１の保持部１４ｆの開口部まで転動し、さらに図６（Ｄ）に示すように、第１の保持部１４ｆが第２の排出口１１ｃと連通した状態になったときには、遊技球Ｐ１が転動して第２の排出口１１ｃから排出される突出量に形成されている。また、斜面１４ｈａは、保持部の開口部が斜め上方を向いたときに、保持部内の外側寄りで保持されていた遊技球が転動して乗り越えることができる角度に傾斜している。また、第２の保持部１４ｇの回転方向の内壁面にも、第１の保持部１４ｆの内壁面に形成された突起部１４ｈと同じ構成および作用の突起部１４ｉが形成されている。これにより、例えば、図７（Ｃ）に示すように、第２の保持部１４ｇが真上を向いている状態から、図７（Ｄ）に示すように、右斜め上を向く状態に変化し、第１の保持部１４ｆに保持されていた遊技球Ｐ１が第２の排出口１１ｃから排出され、受入個数調整部材１３が第１の保持部１４ｆの方へ移動したときに、第２の保持部１４ｇ内の外側寄りで保持されていた遊技球Ｐ２が突起部１４ｉを乗り越えて第２の保持部１４ｇ内の内側へ移動する。
【００４２】
第１の排出口１１ｄの外方の近傍であって、第１の排出口１１ｄから排出された遊技球の流下方向には、横方向に配置された２本の遊技釘８２ａ，８２ｂにより、遊技球が１個ようやく通過できる間隔の右始動口８２が形成されている。右始動口８２の下方には、右始動口８２に入賞した遊技球を受入れる右入賞部材８２ｄが設けられている。
遊技釘８２ａの斜め右上には、遊技釘８２ｃが配置されており、遊技釘８２ａ，８２ｃ間の間隔は、第１の排出口１１ｄの開口幅と対応しており、第１の排出口１１ｄから排出された遊技球がようやく１個通過できる間隔が形成されている。また、第１の排出口１１ｄから排出された遊技球は、遊技釘８２ｂに衝突し、その流下方向が下方に変更されるため、確実に右始動口８２に入賞する。
【００４３】
第２の排出口１１ｃの外方の近傍であって、第２の排出口１１ｃから排出された遊技球の流下方向には、横方向に配置された２本の遊技釘８３ａ，８３ｂにより、遊技球が１個ようやく通過できる間隔の左始動口８３が形成されている。左始動口８３の下方には、左始動口８３に入賞した遊技球を受入れる左入賞部材８３ｄが設けられている。
遊技釘８３ａの斜め左上には、遊技釘８３ｃが配置されており、遊技釘８３ａ，８３ｃ間の間隔は、第２の排出口１１ｃの開口幅と対応しており、第２の排出口１１ｃから排出された遊技球がようやく１個通過できる間隔が形成されている。また、第２の排出口１１ｃから排出された遊技球は、遊技釘８３ｂに衝突し、その流下方向が下方に変更されるため、確実に左始動口８３に入賞する。
【００４４】
右入賞部材８２ｄの内部には、右入賞部材８２ｄに受止められた遊技球を検出する右始動口スイッチ（図８において符号８２ｅで示す）が設けられており、左入賞部材８３ｄの内部には、左入賞部材８３ｄに受止められた遊技球を検出する左始動口スイッチ（図８において符号８３ｅで示す）が設けられている。
上始動口スイッチ８１ｅ、右始動口スイッチ８２ｅおよび左始動口スイッチ８３ｅのいずれかにより遊技球が検出されると、パチンコ機に備えられたＣＰＵが大当りか否かの判定（以下、大当り判定という）を実行する。この大当り判定において大当りと判定される確率（以下、大当り確率という）は、各始動口毎に異なるように設定されている。この実施形態では、大当り確率は、右始動口８２に入賞した場合が１／１００であり、左始動口８３に入賞した場合が１／２００であり、上始動口８１に入賞した場合が１／４００である。
つまり、大当り確率は、右始動口８２に入賞した場合が最も高く、上始動口８１に入賞した場合が最も低い。
【００４５】
（回転振分装置８６の動作）
回転体８７は、常時一定速度（例えば、５秒で１回転）で時計回りに回転している。遊技球がいずれかの普通図柄始動口６８を通過すると、図柄表示装置３７が普通図柄の変動表示を開始する。その変動表示の開始から所定時間経過すると、普通図柄の変動表示が終了し、所定の普通図柄が停止表示される。このとき、その停止表示された普通図柄が当り普通図柄であった場合は、電動役物８０の開閉翼片８０ａ，８０ｂが開放し、この開放に連動してストッパ８４が遊技盤５の内部へ退避する。
そして、開放した開閉翼片８０ａ，８０ｂから遊技球が入賞すると、その入賞した遊技球は、電動役物８０内部の検出スイッチ８０ｃによって検出され、電動役物８０の底部から下方に排出され、流下経路８８の内部を流下する。このとき、回転体８７のいずれかの保持部がカバー１１の開口部１１ａと連通していない場合は、流下経路８８を流下した遊技球は、回転体８７の周面上に停留する。図５（Ａ）に示す例では、回転体８７の周面上に２個の遊技球Ｐ１，Ｐ２が上下方向に並んで停留している。
【００４６】
また、いずれかの保持部が開口部１１ａと連通している場合は、流下経路８８を流下した遊技球は、その保持部に受入れられて保持される。そして、開閉翼片８０ａ，８０ｂから入賞した遊技球が、電動役物８０の内部に設けられた検出スイッチ８０ｃによって２個検出されると、ストッパ８４が遊技領域へ突出し、開閉翼片８０ａ，８０ｂから入賞した３個目以降の遊技球が流下経路８８を流下するのを阻止する。図５（Ｂ）に示す例では、３個目の遊技球Ｐ３がストッパ８４の上面に停留しており、流下経路８８の流下を阻止されている。
【００４７】
（いずれかの保持部に遊技球が２個保持された場合）
ここで、図６（Ａ）に示すように、回転体８７の第１の保持部１４ｆに２個の遊技球Ｐ１，Ｐ２が一度に連続して受入れられ、保持されたとする。遊技球Ｐ１，Ｐ２は、回転体８７の回転に伴って時計回りに運ばれ、図６（Ｂ）に示すように、第１の保持部１４ｆが右斜め下（時計の４時の位置）に到達し、第１の保持部１４ｆの内壁面が右斜め下に傾斜すると、第１の保持部１４ｆに後から保持された２個目の遊技球Ｐ２は、突起部１４ｈによって転動を阻止されていないため、第１の排出口１１ｄから排出され、遊技釘８２ａ，８２ｃ間を通過し、遊技釘８２ｂに衝突し、右始動口８２に入賞し、右入賞部材８２ｄに受入れられ、右始動口スイッチ８２ｅによって検出される。また、右始動口スイッチ８２ｅによって遊技球が検出されたときにＣＰＵにより大当り判定が実行される。
【００４８】
一方、第１の保持部１４ｆに最初に保持された遊技球Ｐ１は、突起部１４ｈによって転動が阻止されているため、そのまま保持された状態を維持し、時計回りに運ばれる。そして、図１６（Ｃ）に示すように、第１の保持部１４ｆが真下（時計の６時の位置）に到達すると、遊技球Ｐ１は、突起部１４ｈを乗り越え、カバー１１の内周面に当接する。このとき、受入個数調整部材１３が下降し、第２の保持部１４ｇは、遊技球を１個保持可能になる。遊技球Ｐ１は、カバー１１の内周面を転動しながら時計回りに運ばれ、図６（Ｄ）に示すように、第１の保持部１４ｆが左斜め下（時計の８時の位置）に到達すると、遊技球Ｐ１が第２の排出口１１ｃから排出され、遊技釘８３ａ，８３ｃ間を通過し、遊技釘８３ｂに衝突し、左始動口８３に入賞し、左入賞部材８３ｄに受入れられ、左始動口スイッチ８３ｅによって検出される。また、左始動口スイッチ８３ｅによって遊技球が検出されたときにＣＰＵにより大当り判定が実行される。
【００４９】
また、右始動口スイッチ８２ｅによって遊技球Ｐ２が検出され、左始動口スイッチ８３ｅによって遊技球Ｐ１が検出され、両始動口スイッチによる検出数が２個になると、ストッパ８４が遊技盤５の内部へ退避し、ストッパ８４の上面に停留していた遊技球Ｐ３が流下経路８８を流下し、いずれかの保持部に保持可能となる。
なお、第２の保持部１４ｇに遊技球が２個一度に連続して保持された場合も、その保持された各遊技球は、上記の第１の保持部１４ｆの場合と同様に右始動口８２および左始動口８３にそれぞれ振り分けられる。
以上のように、いずれかの保持部に遊技球が２個保持された場合は、後から保持された２個目の遊技球Ｐ２は右始動口８２に入賞し、最初に保持された遊技球Ｐ１は左始動口８３に入賞する。
つまり、いずれかの保持部に遊技球を２個保持させることができれば、後から保持された遊技球を大当り確率の高い右始動口８２に入賞させることができる。
【００５０】
（各保持部に遊技球が１個ずつ保持された場合）
図７（Ａ）に示すように、第１の保持部１４ｆに遊技球Ｐ１が１個のみ保持された場合は、その遊技球Ｐ１は突起部１４ｈによって転動が阻止されるため、図７（Ｂ）に示すように、第１の保持部１４ｆが右斜め下になっても第１の排出口１１ｄからは排出されず、時計回りに運ばれる。このとき、２個目の遊技球Ｐ２が流下経路８８（図５）を流下し、回転体８７の周面に停留したとする。
そして、図７（Ｃ）に示すように、第１の保持部１４ｆが真下（時計の６時の位置）に到達したときに、回転体８７の周面に停留していた遊技球Ｐ２が第２の保持部１４ｇに受入れられ、保持される。続いて、図７（Ｄ）に示すように、第１の保持部１４ｆが左斜め下（時計の８時の位置）に到達し、第２の排出口１１ｃと連通すると、遊技球Ｐ１が第２の排出口１１ｃから排出され、左始動口８３に入賞する。このとき、受入個数調整部材１３は、自重によって第１の保持部１４ｆの方へ移動し、第２の保持部１４ｇ内の外側寄りに保持されていた遊技球Ｐ２は、転動して突起部１４ｉの斜面を乗り越え、第２の保持部１４ｇの内側へ移動する。
【００５１】
そして、さらに回転体８７が時計回りに回転すると、第２の保持部１４ｇが右斜め下に傾き、第１の排出口１１ｄと連通した状態を通過するが、第２の保持部１４ｇの内側で保持されている遊技球Ｐ２は、突起部１４ｉによって転動が阻止されるため、第１の排出口１１ｄから排出されることはない。続いて、図７（Ｅ）に示すように、第２の保持部１４ｇが真下（時計の６時の位置）に到達すると、遊技球Ｐ２は突起部１４ｉを乗り越え、カバー１１の内周壁に当接する。続いて、図７（Ｆ）に示すように、第２の保持部１４ｇが左斜め下（時計の８時の位置）に到達し、第２の排出口１１ｃと連通すると、遊技球Ｐ２は第２の排出口１１ｃから排出され、左始動口８３に入賞する。
以上のように、各保持部に遊技球が１個ずつ保持された場合は、各保持部に保持されている遊技球Ｐ１，Ｐ２は、いずれも左始動口８３に入賞する。
つまり、各保持部に遊技球が１個ずつ保持された場合は、いずれの遊技球も左始動口８３に入賞し、大当り確率の高い右始動口８２に入賞させることができない。
【００５２】
［パチンコ機１の電気的構成］
次に、パチンコ機１の主な電気的構成についてそれをブロックで示す図８を参照して説明する。
パチンコ機１には、主制御基板１００が設けられており、その主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、いずれかの始動口スイッチ（ＳＷ）がオンしたか否かの判定、大当り判定、普通図柄の当りかハズレかの判定、電動役物ソレノイド（ＳＬ）８９の制御、大入賞口ソレノイド（ＳＬ）９２ｂの制御、ストッパソレノイド（ＳＬ）８４ａの制御、モータ２０の制御、入賞の検出、入賞数の計数などを実行する。
ＲＯＭ１１４には、メインＣＰＵ１１２が各種制御、判定および検出などを実行するための各種制御プログラム、制御プログラム実行時に参照する各種テーブルなどが記録されている。ＲＡＭ１１６は、保留数や入賞数などを記憶する記憶領域と、メインＣＰＵ１１２の処理結果などの遊技中に発生する各種データおよびＲＯＭ１１４から読出された制御プログラムなどを一時的に格納する記憶領域と、電源遮断時に停電直前の遊技状態を示すデータなどをバックアップして記憶するバックアップ領域とを備える。
【００５３】
主制御基板１００には、次に記載するものが電気的に接続されている。上始動口スイッチ（ＳＷ）８１ｅ、右始動口スイッチ（ＳＷ）８２ｅ、左始動口スイッチ（ＳＷ）８３ｅ、図柄表示装置３７を制御する図柄制御基板３８、遊技中にスピーカ（図示せず）から出力される効果音などを制御する音声制御基板６７、保留数表示装置３９、装飾用ＬＥＤ、ランプ類などの点灯・点滅を制御するランプ制御基板３００、電源基板６４、賞球および貸球の払出しなどを制御する払出制御基板２００、当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。
【００５４】
払出制御基板２００には、主制御基板１００から送信されてくる賞球コマンド、プリペイドカードユニット６０からＣＲ接続基板５６を介して送信されてくる貸球要求信号などを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、払出すべき賞球または貸球の総数やサブＣＰＵ２１２が各種制御プログラムを実行する際にＲＯＭ２１４から読出された制御プログラムなどを一時的に格納するＲＡＭ２１６とが搭載されている。また、ＲＡＭ２１６は、電源遮断時に、入賞数や未払いの賞球総数などを示すデータをバックアップして記憶するバックアップ領域を備える。
また、払出制御基板２００には、電源基板６４、発射モータ１９ｃを駆動するための発射モータ駆動基板１９ａ、遊技枠情報端子基板５２および払出中継基板５５が電気的に接続されている。発射モータ駆動基板１９ａには、発射モータ１９ｃ、発射モータ駆動基板１９ａから発射モータ１９ｃへ駆動信号を出力させるための発射スイッチ（ＳＷ）１９ｂが電気的に接続されている。
【００５５】
遊技枠中継基板５３には、下受け皿７が遊技球で満杯になったことを検出する下皿満杯検出スイッチ（ＳＷ）６５、球切れを検出する球切れ検出スイッチ（ＳＷ）６６およびセンサ中継基板５４が電気的に接続されている。センサ中継基板５４は、払出装置６２に備えられた払出球を検出する前部払出センサ６２ａ、後部払出センサ６２ｂおよび払出中継基板５５と電気的に接続されている。払出中継基板５５には、遊技球の払出しを行う部材を駆動する払出モータ６２ｃが電気的に接続されている。
盤面中継基板５１には、電動役物ソレノイド（ＳＬ）８９、普通図柄始動口６８，６８を通過した遊技球を検出する普通図柄始動口スイッチ（ＳＷ）６８ａ，６８ａ、大入賞口９２に入賞した遊技球を検出する大入賞口スイッチ（ＳＷ）９２ａ、４つの入賞口３３に入賞した遊技球をそれぞれ検出する４つの入賞口スイッチ（ＳＷ）３３ａ、開閉翼片８０ａ，８０ｂから入賞した遊技球を検出する検出スイッチ８０ｃ、ストッパソレノイド８４ａおよび大入賞口中継基板５０が電気的に接続されている。
【００５６】
大入賞口中継基板５０には、モータ２０と、開閉部材９１を開閉する駆動源である大入賞口ソレノイド（ＳＬ）９２ｂとが電気的に接続されている。電源基板６４は、ＣＲ接続基板５６と電気的に接続されており、ＣＲ接続基板５６には、度数表示部５７（図１）に残り度数を表示するための回路が搭載された度数表示基板５７ａと、プリペイドカードユニット６０とが電気的に接続されている。度数表示基板５７ａには、貸出ボタン５８と、返却ボタン５９と、貸出ボタンランプ５８ａとが電気的に接続されている。
電源基板６４は、ＡＣ２４Ｖ（５０Ｈｚ／６０Ｈｚ）の主電源６３から電源の供給を受け、各基板および装置へ動作電源を供給する。図示しないが、電源基板６４には、パチンコ機１の電源のＯＮ・ＯＦＦを行う電源スイッチ（ＳＷ）と、ＲＡＭ１１６，２１６のバックアップ領域に記憶されているデータをクリアするためのＲＡＭクリアスイッチとが設けられている。
【００５７】
［実施形態の効果］
（１）以上のように、上記実施形態のパチンコ機を使用すれば、回転体８７は、遊技球を受入れて保持可能な１組の保持部１４ｆ，１４ｇを回転中心を挟んで設けているため、回転体８７が１回転する間に、遊技球が保持部に保持される機会が２回存在するので、保持部が１つしかない回転体を備えた従来のパチンコ機にはない新鮮味を感じながら遊技を楽しむことができる。
（２）また、受入個数調整部材１３の一端１３ｄは、他端１３ｅが他方の保持部１４ｇに保持されている遊技球に当接することにより、一方の保持部１４ｆに突出し、かつ、他方の保持部１４ｇに保持されている遊技球の個数の増減に応じて一方の保持部１４ｆへの突出量を増減することにより、一方の保持部１４ｆに保持可能な遊技球の個数を増減させることができる。
従って、保持部が１つしかない回転体を備えた従来のパチンコ機では味わうことのできない変化に富んだ遊技を楽しむことができる。
【００５８】
（３）さらに、一方の保持部における遊技球の保持数が上限に達していない場合は、他方の保持部は遊技球を保持可能になるため、遊技者は、他方の保持部に遊技球を保持させようと遊技球を発射することにより、パチンコ機の稼働率を高めることができる。
（４）さらに、１組の保持部の少なくとも一方には、時間的に先に保持されている遊技球が排出口へ排出されることを阻止する突起部が備えられているため、時間的な先後に関係なく遊技球を排出する構造の回転体を備えたパチンコ機にはない新鮮味を感じながら遊技を楽しむことができる。
（５）各保持部は、それぞれ開口部から受け入れた複数の遊技球を回転中心方向に向けて重ねて保持可能な構造であるため、そのような構造をしていない従来の回転体では味わうことのできない新鮮味のある遊技を楽しむことができる。
【００５９】
（６）受入個数調整部材１３は、一方の保持部１４ｆが開口部１１ａと連通する位置に回転したときには、自重により下降し、一方の保持部１４ｆに突出していた一端１３ｄの突出量が減少し、かつ、他方の保持部１４ｇが開口部１１ａと連通する位置に回転したときには、自重により下降し、他方の保持部１４ｇに突出していた他端１３ｅの突出量が減少するように構成されているため、受入個数調整部材１３を移動させるための複雑な機械的構造やアクチュエータなどが不要なので、そのような機械的要素がない分、回転体８７の故障率を低減させることができる。
（７）各排出口は、各保持部と連通可能にカバー１１に開口形成されているため、各保持部に保持されている遊技球を、カバー１１を介して遊技領域へ排出することができる。
【００６０】
（８）各排出口は、１組の保持部のうち、複数の遊技球を保持している保持部において時間的に後から保持された遊技球のみを排出する箇所に開口形成されているため、意図せず偶然に保持部に保持されたような遊技球でも１個のみでは排出口から排出されないようにすることができる。
（９）第１の排出口１１ｄから排出される遊技球を生み出すためには、所定の保持部に対して複数の遊技球が一度に連続して保持されるように遊技球を工夫して発射する必要があるため、遊技者の遊技球の発射技術を反映させることができるので、遊技に参加している意識が高まり、非常に面白い遊技を楽しむことができる。
（１０）第２の排出口１１ｃは、１組の保持部のうち、複数の遊技球を保持している保持部において時間的に先に保持された遊技球のみを排出する箇所に開口形成されているため、保持部に保持されている遊技球を、保持部に保持された時間に関係なく排出口から排出する構造の回転体では味わうことのできない新鮮味のある遊技を楽しむことができる。
【００６１】
（１１）排出口１１ｃ，１１ｄから排出された遊技球を受入れ可能な始動口８２，８３と、この始動口に遊技球が受入れられた場合に大当り判定を行うメインＣＰＵ１１２とを備えている。つまり、保持部に保持された遊技球は、排出口から排出され、始動口に受入れられると、大当り判定が行われるため、遊技者は、遊技球が保持部に受入れられて保持されるかどうか、非常にハラハラドキドキするスリルに溢れた遊技を楽しむことができる。
（１２）排出口が複数開口形成されており、始動口が各排出口に対応してそれぞれ備えられているため、１つの排出口と、それに対応する始動口が１つのみ設けられている構成よりも変化に富んだ遊技を楽しむことができる。
【００６２】
（１３）メインＣＰＵ１１２が大当りと判定する確率が各始動口毎に異なるように設定されているため、その確率が各始動口に対して一律に設定されている構成よりも変化に富んだ遊技を楽しむことができる。
また、どの始動口が、大当りと判定される確率が高いのか、非常にハラハラドキドキするスリルに溢れた遊技を楽しむことができる。
（１４）ＲＡＭ１１６などのメモリに記憶されている図柄の保留数が上限に達している場合でも、回転体８７の各保持部に遊技球を保持させることにより、図柄の実質的な保留数を増やすことができる。
【００６３】
＜他の実施形態＞
（１）突起部１４ｈ，１４ｉは、保持部の内側に保持された遊技球の転動を阻止することができれば、縦断面の形状は三角形以外の形状でもよい。例えば、頂点は丸みを帯びていてもよい。
（２）始動口８２，８３に代えて入賞口を設けることもできる。また、排出口１１ｃ，１１ｄから排出された遊技球が大入賞口に入賞可能となるように回転振分装置８６を設けることもできる。
（３）各保持部は、３個以上の遊技球を保持可能に形成することもできる。
【００６４】
（４）排出口の数は、３つ以上でもよい。この場合、各排出口に対応して始動口を設けることもできる。さらに、大当り判定において大当りと判定される確率が、３つ以上の各始動口毎に異なるように設定することもできる。この場合、ストッパ８４と回転体８７の周面との間に停留可能な遊技球の数およびストッパ８４の進退するタイミングは、１つの保持部に保持可能な遊技球の数に合わせて変更することができる。
（５）モータ２０の回転シャフト２０ａが、受入個数調整部材１３の長孔１３ａに挿通されてなくても良い。また、受入個数調整部材１３の形状は、長円形状以外に横長の板状、角柱状、円柱状などでも良く、形状は問わない。また、孔が形成されてなくても良い。
（６）前板１２、後板１５および外周部材１４ａ，１４ｂは一体形成しても良い。
【図面の簡単な説明】
【００６５】
【図１】この発明の実施形態に係るパチンコ機の外観を正面から見た説明図である。
【図２】図１に示すパチンコ機に備えられた遊技盤を正面から見た概略説明図である。
【図３】回転振分装置８６の斜視図である。
【図４】回転振分装置８６の分解斜視図である。
【図５】図５は、始動口、電動役物および回転振分装置の説明図である。図５（Ａ）は２個の遊技球が回転体の周面上で停留している状態を示す説明図であり、図５（Ｂ）は２個の遊技球が第１の保持部１４ｆに保持された状態を示す説明図である。
【図６】図６（Ａ）は２個の遊技球が第１の保持部１４ｆに保持された状態を示す説明図であり、図６（Ｂ）は後から保持された遊技球Ｐ２が回転体から排出されて右始動口８２に入賞する様子を示す説明図であり、図６（Ｃ）は最初に保持された遊技球Ｐ１がカバー１１の内壁面によって支持されている状態を示す説明図であり、図６（Ｄ）は遊技球Ｐ１が回転体から排出されて左始動口８３に入賞する様子を示す説明図であり、図６（Ｅ）は遊技球Ｐ１が突起部１４ｈによって転動を阻止されている状態を示す一部拡大説明図であり、図６（Ｆ）は突起部１４ｈの拡大説明図である。
【図７】図７（Ａ）は１個の遊技球Ｐ１が第１の保持部１４ｆに保持された状態を示す説明図であり、図７（Ｂ）は遊技球Ｐ１の転動が突起部１４ｈによって阻止されている状態を示す説明図であり、図７（Ｃ）は各保持部に遊技球が１個ずつ保持されている状態を示す説明図であり、図７（Ｄ）は第１の保持部１４ｆに保持されていた遊技球Ｐ１が左始動口８３に入賞する様子を示す説明図であり、図７（Ｅ）は第２の保持部１４ｇに保持された遊技球Ｐ２がカバー１１の内壁面によって支持されている状態を示す説明図であり、図７（Ｆ）は第２の保持部１４ｇに保持されていた遊技球Ｐ２が左始動口８３に入賞する様子を示す説明図である。
【図８】パチンコ機１の主な電気的構成をブロックで示す説明図である。
【図９】従来のパチンコ機に備えられた遊技盤の正面説明図である。
【図１０】図９に示すパチンコ機に備えられた回転振分装置の正面拡大図である。
【符号の説明】
【００６６】
１・・パチンコ機、１１・・カバー、１１ａ・・開口部、１１ｃ・・第２の排出口、１１ｄ・・第１の排出口、１３・・受入個数調整部材、１４ｆ・・第１の保持部、１４ｇ・・第２の保持部、８１・・上始動口、８２・・右始動口、８３・・左始動口、８６・・回転振分装置、８７・・回転体。
【図１】
0004707182.tif 000002
【図２】
0004707182.tif 000003
【図３】
0004707182.tif 000004
【図４】
0004707182.tif 000005
【図５】
0004707182.tif 000006
【図６】
0004707182.tif 000007
【図７】
0004707182.tif 000008
【図８】
0004707182.tif 000009
【図９】
0004707182.tif 000010
【図１０】
0004707182.tif 000011